(57)【要約】  手当て用品は、ドレープ、ドレープの皮膚に面する表面にアクリル系感圧粘着剤、吸収性材料からなる島状部、シリコーンゲルバッキングフィルム、およびシリコーンゲルのバッキングフィルム上のシリコーンゲルを含む。ドレープは、真空状態にしたときにドレープの下を陰圧に維持することが可能な薄膜である。吸収性材料からなる島状部は、ドレープよりも小さな面積を有し、ドレープの皮膚に面する表面に取付けられる。シリコーンゲルバッキングフィルムは、フレーム形状で、ドレープよりも小さな面積を有し、吸収性材料からなる島状部よりも大きな面積を有する。
2021534849.tif 000002
【特許請求の範囲】
【請求項１】
ドレープと、
該ドレープの皮膚に面する表面に設けられているアクリル系感圧接着剤と、
吸収性材料からなる島状部と、
シリコーンゲルバッキングフィルムと、
該シリコーンゲルバッキングフィルムに設けられているシリコーンゲルを含む手当て用品であって、
前記ドレープが真空状態にすると前記ドレープの下を陰圧に維持することができる薄膜であり、
吸収性材料からなる島状部が、前記ドレープよりも小さな面積を有し、前記吸収性材料からなる島状部の周囲に接着剤で覆われた前記ドレープの第一余白を残すように、前記ドレープの前記皮膚に面する表面に取付けられ
前記シリコーンゲルバッキングフィルムが、フレーム形状であって、前記ドレープよりも小さな面積を有し、前記吸収性材料からなる島状部よりも大きな面積を有し、前記シリコーンゲルバッキングフィルムが、該シリコーンゲルバッキングフィルムの周囲に接着剤で覆われたドレープの第二余白を残すように、前記ドレープに貼付けられ、
前記シリコーンゲルが、前記シリコーンゲルバッキングフィルムのフレーム形状と少なくとも実質的に一致し、前記シリコーンゲルの周囲に前記接着剤で覆われたドレープの第二余白を残した状態で、前記吸収性材料からなる島状部を取り囲む、
手当て用品。
【請求項２】
紙であるキャスティングシートをさらに含み、前記ドレープが前記キャスティングシート塗布される、請求項１の手当て用品。
【請求項３】
前記ドレープがポリウレタンフィルムである、請求項１または２の手当て用品。
【請求項４】
前記吸収性材料からなる島状部が高吸収性アクリレートを含む、請求項１または２の手当て用品。
【請求項５】
前記吸収性材料からなる島状部が、該吸収性材料からなる島状部の皮膚に面する側に孔を有するポリウレタンフィルム層を含む、請求項１の手当て用品。
【請求項６】
前記ドレープよりも大きな面積を有する剥離ライナーをさらに含み、該剥離ライナーは、該剥離ライナーの少なくとも一方の面にフッ素樹脂剥離コーティングが施されており、前記フッ素樹脂剥離コーティングは、前記接着剤で覆われたドレープの第二余白の前記アクリル系感圧接着剤と接し、且つ、前記シリコーンゲルと接している、請求項１の手当て用品。
【請求項７】
前記剥離ライナーがポリエステルフィルムである、請求項６の手当て用品。
【請求項８】
前記フッ素樹脂剥離コーティングが、前記吸収性材料からなる島状部の前記皮膚に面する側のポリウレタンフィルム層と接している、請求項６または７の手当て用品。
【請求項９】
前記シリコーンゲルバッキングフィルムが、ポリウレタン、ポリエチレン、ポリプロピレン、または共重合ポリエステルフィルムである、請求項１の手当て用品。
【請求項１０】
前記ドレープが、該ドレープを通って延び、シリコーンゲルで囲まれた穴を含む、請求項１の手当て用品。
【請求項１１】
真空源と組み合わされて、該真空源が、前記ドレープを通って延びる穴と流体連通している、請求項１０の手当て用品。
【請求項１２】
前記真空源が、空気中に見出される少なくとも１つのガスを消費するように構成されたリアクタである、請求項１１の手当て用品。
【請求項１３】
手当て用品が組織部位の周囲の皮膚に貼付けられているとき、前記リアクタが、前記ドレープの下で、且つ、前記シリコーンゲルによって囲まれる囲まれた体積と流体連通する密閉チェインバに配置され、シリコーンゲルによって囲まれている閉鎖チャンバ内に配置され、該密閉チェインバおよび／または前記囲まれた体積と大気との間の圧力差が、大気圧に対して所定の閾値を超える場合のみ、前記密閉チェインバおよび／または前記囲まれた体積が周囲と連通する、請求項１２の手当て用品。
【請求項１４】
前記所定の閾値が-８０ｍｍＨｇ〜-１５０ｍｍＨｇである、請求項１３の手当て用品。
【請求項１５】
手当て用品を組立てる方法であって、
キャスティングシートとキャスティングシートに形成されたドレープとを貫通する穴を形成し、
前記ドレープの皮膚に面する表面に吸収性材料からなる島状部を取付け、前記吸収性材料からなる島状部の周囲に接着剤で覆われた前記ドレープの第一余白を残して、前記ドレープの前記皮膚に面する表面が、当該上に設けられたアクリル系感圧接着剤を有し、
シリコーンゲルバッキングフィルムの周囲に接着剤で覆われた前記ドレープの第二余白を残して前記吸収性材料からなる島状部を取り囲むように、前記シリコーンゲルバッキングフィルム上にシリコーンゲルを具えて設けられる前記シリコーンゲルバッキングフィルムを前記ドレープの前記皮膚に面する表面に貼付けることを含む、
手当て用品を組立てる方法。
【請求項１６】
前記接着剤で覆われたドレープの前記第二余白において前記アクリル系感圧接着剤と接し、且つ、前記シリコーンゲルと接しているフッ素樹脂剥離コーティングで覆われた剥離ライナーを設けることがさらに含まれる、請求項１５の方法。
【発明の詳細な説明】
【技術分野】
【０００１】
陰圧(negative pressure)とは、通常の大気圧よりも低い圧力を表現するために用いられる用語である。既知の局所的な陰圧装置は、面倒なしわ取り吸引装置から、流体透過性創腔充填要素、被覆包帯、皮膚を密閉するための適度な気密手段、及び創傷部位と創腔充填要素を、体液回収容器を介して排水管（drainage tube）に連結する創傷療法にまで及ぶ。
【背景技術】
【０００２】
陰圧で使用される手当て用品（dressing）の一つの種類には、創傷部に配置された多孔質発泡体と多孔質発泡体の上に配置された手当て用品カバーとが含まれる。創傷の周りに水密シールが施された後、ポンプに接続された排水管は、創傷から滲出液を吸い上げる。陰圧で用いられるこれらの手当て用品に関しては、更なる改良が可能である。
【発明の概要】
【課題を解決するための手段】
【０００３】
前述した観点から、手当て用品は、ドレープと、ドレープの皮膚に面する表面に設けられたアクリル系感圧接着剤と、吸収性材料からなる島状部（island）と、シリコーンゲルバッキングフィルム（silicone gel backing film）と、シリコーンゲルバッキングフィルムに設けられたシリコーンゲルとを含む。前記ドレープは、真空状態にしたときにドレープの下を陰圧に維持することが可能な薄膜である。吸収性材料からなる島状部は、ドレープよりも小さな面積を有し、吸収性材料からなる島状部の周囲に接着剤で覆われたドレープの第一余白（margin）を残すように、ドレープの皮膚に面する表面に取付けられる。シリコーンゲルバッキングフィルムは、フレーム形状を有し、ドレープよりも小さな面積を有し、吸収性材料からなる島状部よりも大きな面積を有する。シリコーンゲルバッキングフィルムは、シリコーンゲルバッキングフィルムの周囲に接着剤で覆われたドレープの第二余白を残すように、ドレープに貼付けられる。シリコーンゲルは、シリコーンゲルバッキングフィルムのフレーム形状と少なくとも実質的に一致し、シリコーンゲルバッキングフィルムの周囲に接着剤で覆われたドレープの第二余白を残した状態で、吸収性材料からなる島状部を取り囲む。
【０００４】
上記手当て用品は、紙であるキャスティングシートをさらに含んでもよく、その場合、ドレープはキャスティングシートに塗布（cast）される。
【０００５】
上記手当て用品のいずれにおいても、ドレープはポリウレタンフィルムであってよい。
【０００６】
上記手当て用品のいずれにおいても、吸収性材料は、高吸収性アクリレートを含んでよい。
【０００７】
上記手当て用品のいずれにおいても、シリコーンゲルバッキングフィルムは、ポリウレタン、ポリエチレン、ポリプロピレンまたは共重合ポリエステルフィルムであってよい。
【０００８】
上記手当て用品のいずれにおいても、ドレープよりも大きな面積を有する剥離ライナーを具えてもよい。剥離ライナーは、剥離ライナーの少なくとも一方の面がフッ素樹脂剥離コーティングで覆われてもよい。フッ素樹脂剥離コーティングは、接着剤で覆われたドレープの第二余白においてアクリル系感圧接着剤と接し、且つ、シリコーンゲルと接している。剥離ライナーは、ポリエステルフィルムであってよい。
【０００９】
上記の手当て用品のいずれにおいても、ドレープは、ドレープを通って延び、シリコーンゲルによって囲まれた穴を具えてよい。この実施形態では、通気性／液体不透過性フィルタが、穴を覆ってもよい。この実施形態では、通気性／液体不透過性フィルタは、アクリル系感圧接着剤を介してドレープの皮膚に面する表面に貼付けられてもよい。または、空気透過性／液体不透過性フィルタは、ドレープの皮膚に面する表面の反対側の面に貼付けられてもよい。空気透過性／液体不透過性フィルタがアクリル系感圧接着剤を介してドレープの皮膚に面する表面に貼付けられている場合、空気透過性／液体不透過性フィルタはアクリル系接着剤に貼付けることができる。
【００１０】
前記段落に記載した手当て用品は、ドレープを通って延びる穴と流体連通している真空源と組合わされてもよい。真空源は、空気中に見出される少なくとも１つのガス、例えば酸素または窒素を消費するように構成されたリアクタであってもよい。
【００１１】
手当て用品を組立てる方法には、キャスティングシートとキャスティングシートに形成されたドレープとを貫通する穴を形成し、吸収性材料からなる島状部をドレープの皮膚に面する表面に取付けることが含まれる。ドレープの皮膚に面する表面は、その上に設けられたアクリル系感圧接着剤を有し、吸収性材料からなる島状部は、吸収性材料からなる島状部の周囲に接着剤で覆われたドレープの第一余白を残して取付けられる。前記方法には、さらに、シリコーンゲルバッキングフィルムの周囲に接着剤で覆われたドレープの第二余白を残して吸収性材料からなる島状部を取り囲むように、その上にシリコーンゲルを具えて設けられるシリコーンゲルバッキングフィルムをドレープの皮膚に面する表面に貼付けることが含まれる。
【００１２】
方法には、接着剤で覆われたドレープの第二余白においてアクリル系感圧接着剤と接し、且つ、シリコーンゲルと接しているフッ素樹脂剥離コーティングで覆われた剥離ライナーを設けることがさらに含まれてもよい。
【図面の簡単な説明】
【００１３】
【図１】図１は、手当て用品の一例の概略平面図。
【図２】図２は、図１の手当て用品の分解側面図。
【図３】図３は、図１の手当て用品を組立てるプロセスの一例を示すフロー図。
【図４】図４は、組織部位の周囲の皮膚に配置された手当て用品の概略断面図。
【発明を実施するための形態】
【００１４】
本発明は、以下の明細書で説明され、添付の図面で示される構成要素の構造および配置の詳細に限定されるものではない。本発明は、他の実施形態が可能であり、様々な方法で実施される。本明細書で使用される表現および用語は、説明の目的のためのものであり、限定的であるとみなされるべきではない。さらに、「含む」、「具える」、または「有する」およびこれらの変形の使用は、その後に記載された項目およびそれらの等価物、ならびに追加の項目を包含することを意図している。
【００１５】
本開示は、全体として、陰圧型創傷手当て用品に関するが、本明細書に記載された手当て用品は、常に陰圧で使用される必要はない。図１には、手当て用品２０の下に通常の大気圧以下の圧力を作り出すのに有用な創傷手当て用品の一実施形態が示されている。手当て用品２０は、全体として、ドレープ２２、吸収性材料からなる島状部２４、シリコーンゲル２６、および剥離ライナー２８を含む。手当て用品２０の構成要素および構成要素を構成する材料の配置によって、創傷、外科的切開部、または他の組織部位（以下、単に「組織部位」と称する）を囲う手当て用品の適応が容易となり、その結果、ドレープ２２の下および組織部位の周囲に陰圧環境が長時間維持され、また、皮膚に手当て用品を配置するための取り扱いも容易となる。
【００１６】
ドレープ２２は、真空にした際にドレープ２２の下を陰圧に維持することが可能な薄膜である。ドレープ２２が作られる薄膜は、ドレープの下を陰圧に維持することが可能であり、一方で、液体に対しては実質的に不透過性であるが、水蒸気に対しては多少透過性であってもよい。例えば、ドレープ２２が作られる薄膜材料は、３Ｍ社から入手可能なTEGADERM（登録商標）ブランド、すなわち、「9834TPUテープ」で販売されているようなポリウレタン、または、他の半透膜材料で構成されていてもよい。同様な薄膜は、他の製造業者からも入手可能である。ドレープ２２が作られる薄膜が、約８３６ｇ／ｍ２／ｄａｙ以上の水蒸気透過率を有していても、これらの薄膜は、組織部位の周縁部の周囲が適切に密閉されている場合、ドレープ２２の下を陰圧に維持することができる。
【００１７】
ドレープ２２は、紙から作ることができるキャスティングシート３０に塗布されてもよい。手当て用品２０が組立てられるとき、キャスティングシート３０は、キャスティングシート開口部３２を具えるためにハーフカット（kiss cut）されてもよい。ドレープ２２は、吸収性材料からなる島状部２４およびシリコーンゲル２６が、キャスティングシート３０のキャスティングシート開口部３２によって画定される「窓」内に見えるような透明材料から作られてもよい。クロスカット３６は、キャスティングシート開口部３２を画定する材料が取除かれた後、キャスティングシート３０の内側面３８から、キャスティングシートの外側面４２まで延びてもよい。ドレープ２２は非常に薄い膜から作られているので、ドレープ２２と接続されたキャスティングシート３０をフレーム形状とすることで、手当て用品２０を組織部位に配置する間、把持するための比較的硬いすなわちより剛性が高いキャスティングシート３０を具える方法により、手当て用品２０を当てるのが容易になる。手当て用品２０が配置された後、ドレープ２２からキャスティングシート３０を取外すために、キャスティングシート３０は、クロスカット３６で把持され、角に向かって引っ張られてもよい。図１に示された実施形態で明らかなように、キャスティングシート３０は、組織部位上に手当て用品２０を配置する人が、手当て用品２０を配置している間中、吸収性材料からなる島状部２４およびシリコーンゲル２６の両方を見ることができるように、シリコーンゲル２６の領域の周りでハーフカットされる。
【００１８】
図２を参照すると、アクリル系感圧接着剤５０が、ドレープ２２の皮膚に面する表面５２に塗布される。他のタイプの接着剤がドレープ２２に塗布されてもよいが、アクリル系感圧接着剤は、皮膚と接触したときに、比較的長い時間、例えば数日間持続可能な強い初期接着力をもたらすことが知られている。アクリル系感圧接着剤５０は、ドレープ２２の皮膚に面する表面５２の全体に塗布されてもよく、このことはまた、組立て中において手当て用品２０の他の構成要素を保持するのにも有用である。
【００１９】
ドレープ２２はまた、手当て用品２０に真空源６２を接続することを可能にする開口部６０を含んでもよい。開口部６０は、（キャスティングシート３０のキャスティングシート開口部３２を形成する部分を除去する前に）シリコーンゲル２６によって囲まれた領域内でキャスティングシート３０とドレープ２２を貫通して切取られてもよい。（図２に模式的に示されている）フィッティング６４を開口部６０の上に配置し、（同じく図２に模式的に示されている）ホース６６を介して真空源６２に接続してもよい。
【００２０】
吸収性材料からなる島状部２４は、ドレープ２２の皮膚に面する表面５２に取付けられ、アクリル系感圧接着剤５０を介してドレープ２２に貼付けられる。図１でより明確に見られるように、吸収性材料からなる島状部２４は、吸収性材料からなる島状部２４の周囲に接着剤で覆われたドレープの第一余白Ｍ１を残すように、ドレープ２２よりも小さな面積を有する。第一余白Ｍ１は、図１において、互いに等しいかもしれないし、そうでないかもしれない垂直成分と水平成分とを有するように示されている。吸収性材料からなる島状部２４が作られる吸収性材料は、超吸収性アクリレートであってもよい。そのような吸収性材料の例としては、商標「VILMED」（米国登録商標）の下で入手可能なハイドロアクティブ創傷パッドが挙げられる。図２を参照して、所望により、吸収性材料からなる島状部２４の皮膚と接触する側に、孔を有するポリウレタンフィルム層７０を設けてもよく、これは皮膚および他の組織との親和性が非常に高い。また、ポリウレタンフィルム層７０の代わりに、吸収性材料からなる島状部２４の皮膚と接触する側にシリコーンコーティングを設けてもよい。
【００２１】
シリコーンゲル２６は、シリコーンゲルバッキングフィルム７８に塗布される。シリコーンゲルバッキングフィルム７８は、シリコーンゲル２６をドレープ２２に固定するようにドレープ２２の皮膚に面する表面５２と接するポリウレタン、ポリエチレン、ポリプロピレン、または共重合ポリエステルフィルムであってもよい。典型的には、シリコーンはアクリル系接着剤とうまくくっつかず、図示された実施形態では、アクリル系感圧接着剤５０がドレープ２２に塗布される。シリコーンゲルバッキングフィルム７８にシリコーンゲル２６を具えることにより、ドレープ２２上にアクリル系感圧接着剤５０を利用可能にしつつ、シリコーンゲル２６は、ドレープ２２に対して固定され得る。これにより、組織部位の周囲の皮膚に接することができ、創傷部位の周囲のドレープ２２の下に陰圧を得ることができるアクリル系感圧接着剤５０のみを有するよりもはるかに高い密閉度をもたらすことができるシリコーンゲル２６を手当て用品２０に設けることができるという利点が得られる。
【００２２】
シリコーンゲル２６は、手当て用品２０の下を（大気圧に対して）陰圧に維持すべく、手当て用品２０のためのシーリングガスケットとして作用してもよい。陰圧創傷治療用途に使用される場合、シーリングガスケットは、以下の機能的特性を有することが望ましい。(1)シーリングガスケットが作られる材料の生体適合性が極めて高いこと。すなわち、それが存在する皮膚に目に見える影響を与えることなく、数日および数週間の間、測定される持続時間にわたって身に付けておくことが可能であること。(2)着用者が日常生活動作を行う際に当該材料が非密閉状態にならないように、当該材料が、皮膚に対して穏やかな接着特性を有すること。および(3)当該材料が、常に「真空」密閉を維持しながら、患者の動きに適応するために可撓性および順応性を有すること。利用可能な生体材料のうち、部品番号ＰＳ-１０５０としてポリマー・サイエンス、インコーポレイテッドから入手可能なゲルなどのシリコーンゲルが、ガスケット候補として特定される。ハイドロゲルのような他の材料は、シーリングガスケットとして機能し得るが、シリコーンゲルのような生体適合性はない。
【００２３】
図１に戻って参照すると、シリコーンゲルバッキングフィルム７８は、シリコーンゲルバッキングフィルム７８およびシリコーンゲル２６が吸収性材料からなる島状部２４を取り囲むように、中央開口部８２がシリコーンゲルバッキングフィルム７８に設けられているという点で、フレーム形状を有している。シリコーンゲルバッキングフィルム７８は、ドレープ２２よりも面積（外形寸法）が小さく、吸収性材料からなる島状部２４よりも面積（外形寸法）が大きい。このため、シリコーンゲルバッキングフィルム７８がドレープ２２に貼付けられたとき、シリコーンゲルバッキングフィルムの周囲には、接着剤で覆われたドレープの第二余白Ｍ２が位置する。シリコーンゲル２６は、シリコーンゲルバッキングフィルム７８に配置され、シリコーンゲル２６の周囲に接着剤に覆われたドレープの第二余白Ｍ２を残しつつ、吸収性材料からなる島状部２４を取囲むように、少なくとも実質的にシリコーンゲルバッキングフィルム７８のフレーム形状と一致する。これにより、接着剤に覆われたドレープの第二余白Ｍ２は、組織部位の周囲の皮膚に貼付いて手当て用品２０を所定の位置に保持することができる。アクリル系感圧接着剤は、気密封止または水密封止に特に適しているというわけではないので、シリコーンゲル２６によって適切な密閉度がもたらされ、ドレープ２２の下であってシリコーンゲル２６によって囲まれる空間内の陰圧が維持される。
【００２４】
ドレープ２２の開口部６０を覆うように、通気性／液体不透過性フィルタ９０が設けられてもよい。図１および図２に示されるように、通気性／液体不透過性フィルタ９０は、ドレープ２２の皮膚に面する表面に対して配置されているが、通気性／液体不透過性フィルタ９０は、ドレープ２２の外面に設けられてもよい。通気性／液体不透過性フィルタ９０は、例えば、延伸ポリテトラフルオロエチレン（ePTFE）のような疎水性材料から作られている。ＰＴＦＥは、性質上「非粘着性」であるため、接着が困難な材料として知られている。従って、米国オクラホマ州クレアモアのエヌエックスティーナノ、エルエルシー（NXTNano LLC）から入手可能な微孔性膜のような他の疎水性材料を、通気性／液体不透過性フィルタ９０に使用してもよい。エヌエックスティーナノ、エルエルシーは、静水頭（hydrostatic head）を１４，０００ｍｍで維持しつつ、０．４ｃｆｍの直接排気（a direct venting）を有するナノファイバーで構成された微孔性膜を提供する。エヌエックスティーナノ、エルエルシーの材料は熱可塑性ポリウレタンであり、これにより、ドレープ２２の皮膚に面する表面５２上のアクリル系感圧接着剤５０を介してドレープ２２に貼付けることが容易になる。なお、通気性／液体不透過性フィルタを省略してもよく、吸収性材料からなる島状部２４が真空源に運ばれる可能性があるような滲出液で満たされた場合には、手当て用品１０が交換されてもよい。
【００２５】
剥離ライナー２８は、接着剤で覆われたドレープ２２の第二マージンＭ２に沿って、且つ、シリコーンゲル２６とともに、ドレープ２２に接する。剥離ライナー２８はまた、吸収性材料からなる島状部２４、より具体的には吸収性材料からなる島状部２４のポリウレタンフィルム層７０にも接する。このように、剥離ライナー２８は、アクリル系接着剤およびシリコーンゲルの両方と良好に作用することが好ましい。しばしば、剥離ライナーはシリコーンコーティングで覆われているが、シリコーンコーティングはシリコーンゲルと相容れないことが多い。これにより、剥離ライナー２８がドレープ２２、および手当て用品２０の他の構成要素から取外されたときに、シリコーンゲルが剥離ライナー２８とともに引っ張られる結果となり得る。
【００２６】
図示された例では、剥離ライナー２８は、ドレープ２２のアクリル系感圧接着剤５０、並びにシリコーンゲル２６および吸収性材料からなる島状部２４の適切な表面に接する剥離ライナー２８の面をフッ素樹脂剥離コーティング１００で覆われている。剥離ライナー２８は、片面をフッ素樹脂剥離コーティング１００で覆われたポリエステルフィルムであってもよく、これは、シリコーン系接着剤とともに用いられてもよい。この剥離コーティング１００はまた、３Ｍ社から入手可能な９８３４ＴＰＵテープとともに入手可能であるような、ドレープ２２の皮膚に面する表面のアクリル系感圧接着剤５０にも適合する。剥離ライナー２８は、ドレープ２２よりも大きな面積を有し、ドレープ２２が創傷部位の周囲の患者の皮膚に貼付けられる前にドレープ２２から取外される。
【００２７】
手当て用品を組立てる方法を、図３に示すフロー図、並びに図１および図２に示された手当て用品の実施形態を参照して説明する。しかしながら、手当て用品を組立てる方法は、図１および図２に示された手当て用品２０の実施形態のみに限定されるものではなく、また、特に言及されない限り、ステップが図３に記載または示された特定の順序に限定されるものでもない。
【００２８】
例えば、キャスティングシート３０およびドレープ２２は、コンバータに設けられた予め製造されたロールとして具えられてもよく、１１０では、開口部６０が、キャスティングシート３０およびドレープ２２を貫通して形成されてもよい。開口部６０は、キャスティングシート３０およびドレープ２２を貫通して穴を開けられ若しくは切取られてもよいし、または別の方法で設けられてもよい。
【００２９】
１１２では、通気性／液体不透過性フィルタ９０が、開口部６０を覆ってドレープ２２に貼付けられる。通気性／液体不透過性フィルタ９０が、アクリル系感圧接着剤５０を介してドレープ２２の皮膚に面する表面５２に貼付けられてもよい。または、通気性／液体不透過性フィルタ９０が、皮膚に面する表面５２と反対側のドレープ２２の表面に貼付けられてもよい。
【００３０】
１１４では、吸収性材料からなる島状部２４が、ドレープ２２の皮膚に面する表面５２に取付けられる。ドレープ２２の皮膚に面する表面５２には、アクリル系感圧接着剤５０が設けられている。このように、吸収性材料からなる島状部２４は、吸収性材料からなる島状部２４の周囲に接着剤で覆われたドレープの第一余白Ｍ１を残してドレープ２２の皮膚に面する表面５２に貼付けられる。
【００３１】
１１６では、その上にシリコーンゲル２６を具えて設けられたシリコーンゲルバッキングフィルム７８が、シリコーンゲルバッキングフィルム７８の周囲に接着剤で覆われたドレープの第二余白Ｍ２を残して吸収性材料からなる島状部２４を取り囲むように、ドレープ２２の皮膚に面する表面５２に取付けられる。上述したように、シリコーンは、通常、アクリル系接着剤には付かない。このように、ポリウレタン、ポリエチレン、ポリプロピレンまたは共重合ポリエステルフィルムから作ることができるシリコーンゲルバッキングフィルム７８は、シリコーンゲル２６がドレープ２２に固定されるように、その上にシリコーンゲル２６を具えて設けられる。
【００３２】
１１８では、フッ素樹脂剥離コーティング１００で覆われた剥離ライナー２８が、接着剤に覆われたドレープの第二余白Ｍ２においてアクリル系感圧接着剤５０に接するように、またシリコーンゲル２６に接するように設けられる。フッ素樹脂剥離コーティング１００は、アクリル系感圧粘着剤５０とシリコーンゲル２６の両方から剥離するように特別に処理されている。
【００３３】
１２２では、キャスティングシート３０が、キャスティングシート開口部３２を具えるべく、吸収性材料からなる島状部２４の周りでハーフカットされる。キャスティングシート３０の内側部分が除去され、これにより、一種の窓として機能し得るキャスティングシート開口部３２が形成される。ドレープ２２は、透明な薄膜から製造されており、これにより、手当て用品２０を組織部位に配置する操作者は、手当て用品を配置している間に組織部位を見ることができる。
【００３４】
上述したように、シリコーンゲル２６はシリコーンゲルバッキングフィルム７８に塗布され、シリコーンゲルバッキングフィルム７８は、中央開口部８２がシリコーンゲルバッキングフィルム７８に設けられているという点でフレーム形状を有し、これにより、シリコーンゲルバッキングフィルム７８とシリコーンゲル２６は、吸収性材料からなる島状部２４を取り囲む。中央開口部８２を形成するために、シリコーンゲル２６及びシリコーンゲルバッキングフィルム７８が、フレーム形状を構成する残りの部分から切り取られ、除去されてもよい。１２４では、シリコーンゲル２６およびシリコーンゲルバッキングフィルム７８のこの除去された部分が、別個の独立した手当て用品として包装されてもよい。このような手当て用品は、陰圧下にない閉塞性手当て用品として切開部位を覆うのに有用であり、または他の用途に用いられてもよい。
【００３５】
図４を参照して、使用時には、手当て用品２０は、アクリル系感圧接着剤５０が皮膚Ｓに接触した状態で組織部位の周囲の皮膚Ｓに当てられる。キャスティングシートに形成されたキャスティングシート開口部３２を有し、ドレープ２２に取付けられたままのキャスティングシート３０とともにドレープ２２は、皮膚Ｓに接してもよい。次いで、キャスティングシート３０は、クロスカット３６の近くで把持され、ドレープ２２から取外されてもよい。ドレープ２２が皮膚Ｓに当てられると、シリコーンゲル２６が組織部位を取り囲み、ドレープ２２の下で、且つ、シリコーンゲル２６によって囲まれる囲まれた体積１３０が画定される。真空源６２は、ドレープ２２を介して設けられた開口部６０と連通し、真空源６２と囲まれた体積１３０との間を気体が連通する。
【００３６】
真空源６２は、大気中のガスと反応して、これらのガスを大気から除去するように構成されたリアクタ１３２または同様の化学ポンプを具えてもよい。例えば、リアクタ１３２は、囲まれた体積１３０内のガス圧を約２０％減少させるように、囲まれた体積１３０内の空気から酸素を除去する酸素捕集剤であってもよい。本実施形態の真空源６２には、ケミカルポンプが含まれるので、囲まれた体積１３０の周囲のあらゆる漏れを防止することが重要である。真空源６２内のリアクタ１３２を使い切る可能性のある外部酸素の侵入は、ドレープ２２またはシリコーンゲル２６を通って、若しくはシリコーンゲル２６と皮膚Ｓとの間のいずれかによる侵入を防止することが重要である。
【００３７】
図４において、リアクタ１３２は、手当て用品２０が組織部位の周囲の皮膚Ｓに貼付けれたときに、ドレープ２２の下で、且つ、シリコーンゲル２６によって囲まれる囲まれた体積１３０と流体連通する密閉チェインバ１３４内に配置されている。ハウジング１３６によって画定され得る密閉チェインバ１３４および／または囲まれた体積１３０と大気との間の圧力差が、標準的な大気圧に対して所定の閾値を超える場合のみ、密閉チェインバ１３４および／または囲まれた体積１３０は周囲と連通する。これは、機械的ポンプを介して囲まれた体積から空気を周囲に引き込む機械的ポンプを採用する公知の陰圧システムとは対照的である。機械的ポンプは、通常、システム内の漏れによって、囲まれた体積に入る空気の比較的小さな流れの影響を克服することができるので、これらのシステムにおける漏れはそれほど重大ではない。対照的に、リアクタ１３２を使用する際の漏れが多すぎると、リアクタ１３２が消費され、酸素（または空気中に見出される他のガス）を除去することができなくなる。このように、密閉チェインバ１３４および／または囲まれた体積１３０は、密閉チェインバ１３４および／または囲まれた体積１３０と大気との間の標準的な大気圧に対する圧力差が所定の閾値を超えた場合（-８０ｍｍＨｇ〜-１５０ｍｍＨｇの間であり得る。）にのみ、周囲と連通する。
【００３８】
リリーフ弁１３８は、ハウジング１３６上に設けられてもよく、または密閉チェインバ１３４と連通してもよい。圧力差が-１５０ｍｍＨｇを超える場合、例えば、大気圧が約７６０ｍｍＨｇであって、囲まれた体積１３０内の圧力が約６１０ｍｍＨｇを下回るような場合に、周囲と密閉チェインバ１３４との間の連通を可能にすべく、リリーフ弁１３８が開くように設定されてもよい。これは、囲まれた体積１３０が、機械的なポンプまたは他の機構を用いることによって、相対的な陰圧、例えば約７６０ｍｍＨｇ未満の圧力に最初に引き下げられ、密閉チャンバ１３４およびリアクタ１３２が後に継手６４を介して囲まれた体積１３０と接続される場合に関連し得る。（２０％の酸素を有する）空気が囲まれた体積１３０内にある一方で、囲まれた体積１３０が大気圧以下の圧力にあるときに、リアクタ１３２と密閉チェインバ１３４が囲まれた体積１３０と接続されている場合、酸素が囲まれた体積から除去されるにつれて、圧力が６１０ｍｍＨｇ以下に低下することがあり、これは、状況によっては望ましくない場合があるため、リリーフ弁１３８が設けられてもよい。
【００３９】
シリコーンゲル２６は、単にアクリル系接着剤単独よりも良好な密閉をもたらす。それにもかかわらず、シリコーンゲルおよび接着剤は、典型的には、シリコーンゲルがアクリル系接着剤にくっつかないという点で、ともに良好に作用しない。このように、シリコーンゲルバッキングフィルム７８は、シリコーンゲルバッキングフィルム７８がドレープ２２に対して固定されるように、シリコーンゲル２６とドレープ２２の皮膚に面する表面のアクリル系感圧接着剤５０との間に設けられてもよい。
【００４０】
さらに、図１および図２で視認される剥離ライナー２８は、ドレープ２２が皮膚Ｓに触れる前に、ドレープ２２の皮膚に面する表面５２から剥離ライナー２８が除去される。上述したように、剥離ライナー２８は、フッ素樹脂剥離コーティング１００で覆われ、これは、ドレープ２２の皮膚に面する表面５２のアクリル系感圧接着剤５０からの除去だけでなく、シリコーンゲル２６および吸収性材料からなる島状部２４のポリウレタンフィルム層７０からの除去にも適している。
【００４１】
上述したように、吸収性材料からなる島状部２４は、手当て用品２０が組織部位の周囲の皮膚Ｓに貼付けられたとき、囲まれた体積１３０内に設けられる。さらに、吸収性材料からなる島状部２４から真空源６２に向かって手当て用品２０の外に出る滲出液のような液体の移動を防止すべく、開口部６０およびドレープ２２を覆うように、通気性／液体不透過性フィルタ９０が設けられてもよい。
【００４２】
手当て用品および手当て用品を製造するための工程が、特に上記の詳細な説明に記載されている。修正および変更が、前記の詳細な説明を読んで理解した上で生じることがあり得る。しかしながら、本発明は、上述の実施形態のみに限定されるものではない。その代わりに、本発明は、添付の特許請求の範囲およびその等価物によって広く範囲が定められる。上述した実施形態の様々な実施形態、および他の特徴および機能、またはそれらの代替物または変種が、好ましくは、他の多くの異なるシステムまたはアプリケーションに結合され得ることが理解されるであろう。また、現在予測されていない、または予期されていない様々な代替、修正、変形、または改良が、当業者によって後になされ得ることもまた、以下の特許請求の範囲に包含されることを意図している。
【図１】
2021534849.tif 000003
【図２】
2021534849.tif 000004
【図３】
2021534849.tif 000005
【図４】
2021534849.tif 000006
【国際調査報告】
2021534849.tif 000007